(57)【要約】【課題】アレルギー物質に関する情報を印字して発行したラベルにおける当該アレルギー物質の表示を商品の購入者が見落とすことを防止できる商品登録装置を提供する。【解決手段】商品番号や添加物または原材料を商品毎に記憶する記憶手段、商品登録の際に記憶手段からデータを読み出す読出し手段、アレルギー物質情報を印字してラベルを発行するラベル発行手段を備え、読出し手段により読み出したデータにアレルギー物質情報が含まれている場合にそのアレルギー物質情報を印字したラベルを発行する。【選択図】図８
2008041048.tif 000002
【特許請求の範囲】
【請求項１】
買上げ商品を登録し、精算の際にレシートを発行する商品登録装置において、
少なくとも商品名、商品番号、および、添加物または原材料の項目を含む商品データを商品毎に記憶するとともに、予め複数のアレルギー物質を記憶する記憶手段と、
買上げ商品を登録する際に該買上げ商品の商品データを前記記憶手段から読み出す読出し手段と、
前記読み出された商品データの中にアレルギー物質情報が含まれているか否かを判断する判断手段と、
アレルギー物質情報を印字してラベルを発行するラベル発行手段とを備え、
前記判断手段によりアレルギー物質情報が含まれていると判断された場合に、そのアレルギー物質情報を印字したラベルを発行する
ことを特徴とする商品登録装置。
【請求項２】
買上げ商品を登録し、精算の際にレシートを発行する商品登録装置において、
少なくとも商品名、商品番号、および、添加物または原材料の項目を含む商品データを商品毎に記憶するとともに、予め複数のアレルギー物質を記憶する記憶手段と、
買上げ商品を登録する際に該買上げ商品の商品データを前記記憶手段から読み出し、読み出した商品データを取引毎に付与される識別番号と関連付けて取引データとして記憶する取引データ記憶手段と、
アレルギー物質情報を印字してラベルを発行するラベル発行手段とを備え、
買上げ商品の登録が終わった時に前記取引データ記憶手段からその取引の識別番号の取引データのうちアレルギー物質情報が含まれた取引データを読み出し、読み出されたアレルギー物質情報を印字したラベルを発行する
ことを特徴とする商品登録装置。
【発明の詳細な説明】
【技術分野】
【０００１】
本発明は、顧客が買い上げた商品を登録し、精算の際にレシートを発行する商品登録装置に関する。
【背景技術】
【０００２】
近年、加工食品等に含まれるアレルギー物質に関して、商品の購入者は健康危害の発生を防止する観点から関心を高めている。そのため、飲食に係わる多くの商品には、その包装やパッケージなどに、当該商品にどのようなアレルギー物質が含まれているかを説明する表示が付されている。商品購入者は、このような表示を参考にすることで、食品の安全に配慮しながらどの商品を購入すべきかの判断に役立てている。
【０００３】
また、商品に貼付するラベルに各種の情報を印字する技術としては、サーバに記憶されている各商品の賞味期限、保存方法、調理方法、材料等の商品情報を読み出し、ラベルプリンタでその商品情報をラベルに印字してラベルを発行するＰＯＳシステムが知られている（例えば、特許文献１参照）。
【特許文献１】特開２００２−１９００６８号公報
【発明の開示】
【発明が解決しようとする課題】
【０００４】
しかしながら、従来、商品にはアレルギー物質についての情報の他にも多くの情報が同時に表示されているので、購入者はその商品にアレルギー物質が含まれているのか、またその種類は何なのかといったことを簡単に把握することができず、アレルギー物質の情報を見逃しやすいという問題があった。
また、上記のＰＯＳシステムなどにおいて、単に商品情報の一つとしてアレルギー物質の情報をラベルに印字したとしても、多くの情報が一緒になってラベル上に表示されることになるので、やはりアレルギー物質の情報を見逃すおそれが大きいという問題がある。
【０００５】
本発明は上記の点に鑑みてなされたものであり、その目的は、アレルギー物質に関する情報を印字して発行したラベルにおける当該アレルギー物質の表示を商品の購入者が見落とすことを防止できる商品登録装置を提供することにある。
【課題を解決するための手段】
【０００６】
本発明は上記の課題を解決するためになされたものであり、請求項１に記載の発明は、買上げ商品を登録し、精算の際にレシートを発行する商品登録装置において、少なくとも商品名、商品番号、および、添加物または原材料の項目を含む商品データを商品毎に記憶するとともに、予め複数のアレルギー物質を記憶する記憶手段と、買上げ商品を登録する際に該買上げ商品の商品データを前記記憶手段から読み出す読出し手段と、前記読み出された商品データの中にアレルギー物質情報が含まれているか否かを判断する判断手段と、アレルギー物質情報を印字してラベルを発行するラベル発行手段とを備え、前記判断手段によりアレルギー物質情報が含まれていると判断された場合に、そのアレルギー物質情報を印字したラベルを発行することを特徴とする商品登録装置である。
【０００７】
また、請求項２に記載の発明は、買上げ商品を登録し、精算の際にレシートを発行する商品登録装置において、少なくとも商品名、商品番号、および、添加物または原材料の項目を含む商品データを商品毎に記憶するとともに、予め複数のアレルギー物質を記憶する記憶手段と、買上げ商品を登録する際に該買上げ商品の商品データを前記記憶手段から読み出し、読み出した商品データを取引毎に付与される識別番号と関連付けて取引データとして記憶する取引データ記憶手段と、アレルギー物質情報を印字してラベルを発行するラベル発行手段とを備え、買上げ商品の登録が終わった時に前記取引データ記憶手段からその取引の識別番号の取引データのうちアレルギー物質情報が含まれた取引データを読み出し、読み出されたアレルギー物質情報を印字したラベルを発行することを特徴とする商品登録装置である。
【発明の効果】
【０００８】
本発明によれば、買上げ商品の登録、精算の際に、アレルギー物質を含む商品に対してその旨を印字したラベルが発行されるので、そのラベルを商品の購入者に渡すことによって購入者に注意を促すことができ、購入者はアレルギー物質に関する情報を見落としにくくなる。
また、商品登録の操作において商品データからアレルギー物質の情報の有無が判断されてラベルが印字されるので、特別な操作が必要なく、操作性がよい。またラベルを発行し忘れるおそれがない。
また、精算の際のレシートを発行する商品登録装置で上記のラベルを発行するので、ラベルの取り忘れも起きなくなる。
【発明を実施するための最良の形態】
【０００９】
以下、図面を参照しながら本発明の実施形態について詳しく説明する。
図１は、本発明の一実施形態による商品登録装置１の外観図（正面図および背面図）を示したものであり、図２は、商品登録装置１の電気的な構成を表すブロック図を示したものである。
これら図１および図２に示されるように、商品登録装置１は、店員用表示器１１、液晶タッチパネル１２、客用表示器１３、キー操作部１４、レシート発行口１５、ラベル発行口１６、磁気カードリーダ１７、スキャナ１８、ドロワ１９、ＣＰＵ２０、ＲＯＭ２１、ＲＡＭ２２、レシート印字部２３、ラベル印字部２４を備えている。
【００１０】
ＣＰＵ２０は、商品登録装置１の各部を制御する中央処理装置であり、ＲＯＭ２１から所定のプログラムをロードして実行する。ＲＯＭ２１は、ＣＰＵ２０が実行する各種プログラムを格納している記憶部である。
【００１１】
ＲＡＭ２２は、ＣＰＵ２０が動作時に呼び出し、また使用するデータを一時的に記憶する記憶部である。ＲＡＭ２２にはまた、後述する商品ファイル、アレルギー物質情報ファイル、取引データ情報ファイルや、その他、商品の販売個数・販売合計金額等の販売実績が記録された実績ファイル、取引毎の取引番号と扱者番号を含む商品登録装置１で発行したレシートの全印字内容が記録された電子ジャーナルデータ、商品登録装置１の各種の動作パラメータが定義され記憶されたプリセット用ファイル、などの各データも記憶されている。なお、ＣＰＵ２０で実行されるプログラムを記憶するようにしてもよい。
【００１２】
液晶タッチパネル１２は、店員用表示器１１を構成する表示・入力デバイスであり、各種メニュー画面、商品登録に必要なプリセットキー、登録した商品データ・精算データなどを表示するとともに、表示された各種のキーから入力を受け付ける。なお、この液晶タッチパネル１２（店員用表示器１１）は店員側に向けて設置されており、店員により使用される。
【００１３】
客用表示器１３は、買上げ商品の商品名、買上げ価格、買上げ合計金額などを客に対して表示する表示装置であり、例えば液晶パネル等で構成される。
キー操作部１４は、商品登録と精算の処理において使用頻度の高いファンクションキーとテンキー、その他、クレジットカードや現金による精算を確定するためのクレジットキー、現計キーなどが設けられている入力装置である。
【００１４】
磁気カードリーダ１７は、会員番号などの会員を特定するための情報が記録された会員カードや、客が買上げ商品の精算に用いるクレジットカード等の各種磁気カードから、所定の情報を読み取るための読取装置である。
スキャナ１８は、商品に貼り付けられた商品登録を行うためのバーコードを読み取る光学式読取装置である。
【００１５】
レシート印字部２３は、客が買上げた商品の商品名、価格、買上げ合計金額、日付、時刻、店舗名などの登録・精算結果をレシートに印字する印字装置である。印字されたレシートは、レシート発行口１５から発行される。
ラベル印字部２４は、アレルギー物質を含んでいることが商品ファイルに設定されている買上げ商品に対してアレルギー物質情報をラベルに印字する印字装置である。印字されたラベルは、ラベル発行口１６から発行される。
ドロワ１９は、予備の紙幣、硬貨、その他商品券や売掛伝票を収納する金庫である。
【００１６】
図３は、ＲＡＭ２２に記憶されている商品ファイルの一例である。商品ファイルには、商品毎に商品番号と、商品名と、値段と、ＪＡＮ（Ｊａｐａｎ  Ａｒｔｉｃｌｅ  Ｎｕｍｂｅｒ）コードと、添加物番号が記憶されている。商品番号は、商品を一意に特定し識別するための番号であり、ここでは４桁の数字からなる番号体系を使用している。例えば、商品コード「０００１」は商品「焼肉弁当」に対応し、商品コード「０００２」は商品「唐揚弁当」に対応する。なお、商品コードの番号体系は図３のものに限定されない。ＪＡＮコードも同様に商品を区別するための番号であり、商品のバーコードに用いられる。添加物番号は、各添加物に対して付与された番号であり、その添加物番号に該当する添加物が商品には含まれていることを示す。例えば商品「焼肉弁当」には添加物番号「０１」に該当する添加物が含まれている。なお、添加物の内容は、次に説明する添加物ファイルに記憶されている。
【００１７】
図４は、ＲＡＭ２２に記憶されている添加物ファイルの一例である。添加物ファイルには、商品ファイル中の上記の各添加物番号に対応する添加物の情報が記憶されている。また、原材料の情報も記憶されている。例えば、添加物番号「０１」に対しては、添加物あるいは原材料が「牛肉」と「キャベツ」であることが設定されている。
図５は、ＲＡＭ２２に記憶されているアレルギー物質情報ファイルの一例である。アレルギー物質情報ファイルには、アレルギー物質番号に対応させてアレルギー物質名が記憶されている。このアレルギー物質名は、以下に説明するように、商品登録装置１が発行するラベルに印字される情報である。例えば、アレルギー物質番号「０１」に対しては、「牛肉」がアレルギー物質として設定されている。
【００１８】
図６は、ＲＡＭ２２に記録される取引データ情報ファイルの一例である。取引データ情報ファイルには、客が一つまたは複数の商品を購入し精算をする一取引毎に、取引番号、商品番号、商品名、値段、添加物番号が記録される。取引番号は、一取引毎に付与される番号であり、この取引番号によりどの取引かが特定される。また、商品番号と商品名と値段と添加物番号は、商品登録の際に、登録される商品のデータが商品ファイルから読み出されてこの取引データ情報ファイルに書き込まれる。図５において、例えば、取引番号「０００００１」の取引では商品「唐揚弁当」が購入されて、その取引データが１行目に記録されている。また、取引番号「０００００２」の取引では、商品「焼肉弁当」と「唐揚弁当」が購入されて、その取引データが２行目と３行目に記録されている。
【００１９】
図７は、店員用表示器１１に表示される、買上げ商品の商品登録を行うための登録モード画面の一例である。登録モード画面の下半分には、「焼肉弁当」や「唐揚弁当」などの各商品に対応して設けられた商品登録する買上げ商品を入力するための「商品入力キー」や、「入金」、「支払」などのコマンドを入力するための各種ファンクションキー等が配置される。登録モード画面の上半分には、買上げ商品として入力された商品の各種情報が表示され、また「登録」や「終了」などのファンクションキーも配置される。表示される商品の情報には、商品名、品番（商品番号）、数量、値段等がある。図７では、「焼肉弁当」が買い上げられた場合の表示例を示している。
【００２０】
次に、上記商品登録装置の動作の実施形態を説明する。
図８は、商品登録装置１の動作例の一つを示すフローチャートである。
まず、商品登録装置１は、動作を開始すると動作モードが「登録モード」であるか否かを判断する（ステップＳ１）。登録モードの場合、買上げ商品の商品登録を開始し、買上げ商品の商品番号の入力を受け付ける（ステップＳ５）。商品番号の入力方法には、例えば、買上げ商品に記載されている商品番号を商品登録装置１のキー操作部１４のテンキーなどを使用して店員が手入力する方法、図７の登録モード画面上の商品入力キーを使用して入力する方法、商品に貼付されているラベルのバーコードをスキャナで読み取って入力する方法などがある。商品番号が入力されると、ＲＡＭ２２の商品ファイルから当該入力された商品番号に対応する商品の商品データを読み出し、その読み出した商品データの内容を店員用表示器１１（および客用表示器１３）に表示する。
【００２１】
次に、商品登録装置１は、上記読み出した商品データにアレルギー物質が含まれているか否かを判断する（ステップＳ６）。例えば、買上げ商品が「焼肉弁当」の場合、ステップＳ５で商品番号「０００１」が入力されて、商品ファイルからは商品名「焼肉弁当」と値段「５５０円」と添加物番号「０１」が読み出され、「焼肉弁当」と「５５０円」が店員用表示器１１に表示される。そして、読み出した商品データの中の添加物番号「０１」が含まれていることから、添加物ファイルを参照することにより「牛肉」と「キャベツ」が添加物または原材料であることが判別され、このうち「牛肉」がアレルギー物質情報ファイル中のアレルギー物質「牛肉」と一致することから、アレルギー物質が含まれていると判断されることになる。
【００２２】
アレルギー物質が含まれていると判断された場合は、次いで、商品登録装置１はＲＡＭ２２のアレルギー物質情報ファイルから当該アレルギー物質番号に対応するアレルギー物質名を読み出す（ステップＳ７）。そして、読み出したアレルギー物質名をラベル印字部２４によりラベルに印字して、ラベル発行口１６から印字済みのラベルを発行する（ステップＳ８）。発行されるラベルの印字フォーマットを図９（Ａ）に示す。図９（Ａ）の印字フォーマットには、現在商品登録処理中の商品についてのアレルギー物質情報を表示するエリアと、店舗情報等を表示するエリアが設けられている。例えば、ステップＳ６で添加物番号が「０１」であったとすると、アレルギー物質情報ファイルからは「牛肉」というアレルギー物質名が読み出されて、図９（Ａ）のようなラベルが発行される。
【００２３】
ラベルの発行後、商品登録装置１はキー操作部１４の「現計キー」が押下されたか否かを判定する（ステップＳ９）。「現計キー」は全ての買上げ商品の商品登録が終わった時に店員によって押下され、それにより商品登録処理が完了する。「現計キー」が押下されないときは、次の買上げ商品の商品登録をするため処理はステップＳ５へ戻り、次の買上げ商品の商品登録とラベルの発行を繰り返す。
なお、このステップＳ９は、ステップＳ６において商品データにアレルギー物質が含まれていないと判断された場合に、ラベル発行の処理（ステップＳ７、Ｓ８）を飛ばして実行される。
【００２４】
「現計キー」が押下されると、商品登録装置１は精算処理を実行する（ステップＳ１０）。精算処理では、具体的には、買上げ商品の合計金額を計算し、客からの預り金額からお釣りの金額を計算し、それらの計算結果を店員用表示器１１や客用表示器１３に表示し、取引実績を所定の実績ファイルに記録するなどの処理を実行する。その後、買上げ商品の商品名、値段、買上げ個数などの購入商品明細と、全買上げ商品の合計金額やお釣りの金額などの精算データと、日付と、店名と、広告文や責任者などの各種取引情報をレシート印字部２３により所定のレシート用紙に印字し、レシート発行口１５からレシート（図１１）として発行する（ステップＳ１１）。これにより、一客分の取引の処理が完了する。
【００２５】
ステップＳ１において、動作モードが「登録モード」でなかった場合、商品登録装置１は次に動作モードが「通常モード」であるか否かを判断する（ステップＳ２）。通常モードは、買上げ商品の商品登録と精算の処理を行わず、各商品に貼付するラベルを作成するラベルプリンタとして機能する動作モードである。通常モードの場合、商品登録装置１はラベル発行処理を実行する（ステップＳ４）。具体的には、ステップＳ５と同様にラベル発行する商品の商品コードを入力し、その商品コードの商品データをＲＡＭ２２の商品ファイルから読み出し、読み出した商品データに従ってラベルに印字を行いラベルを発行する。これにより発行されるラベルは、図９（Ｃ）のような内容が表示されたものとなる。すなわち、図９（Ｃ）の例において、商品名「焼肉弁当」と値段「５５０円」とＪＡＮコードに対応したバーコードが印字される。また、商品登録装置１に内蔵する図示しない時計機能部から取得した日時データに従い現在の日付を加工日として印字し、加工日に予め決められた時間あるいは日数を加算して得られる日付を賞味期限日として印字する。
【００２６】
ステップＳ２において動作モードが「通常モード」でなかった場合は、商品登録装置１はその他の処理として、例えば各種設定処理やメンテナンス処理を実行する（ステップＳ３）。そしてステップＳ１へ戻る。
【００２７】
図１０は、商品登録装置１の別の動作例を示すフローチャートである。この動作例では、複数の買上げ商品の商品登録が全て終わった後に、アレルギー物質情報を印字したラベルを発行する。
まず、商品登録装置１は、上述の動作例と同様に、「登録モード」であるか否かの判断を行う（ステップＳ２０）。そして登録モードにおいては、各買上げ商品について、商品番号の入力、商品ファイルから商品データの読み出し、実績ファイルへの書き込みなどの商品登録の処理を実行する（ステップＳ２４）。また、その取引に対して一つの取引番号を付与し、当該取引番号と上記読み出された商品データとを取引データ情報ファイルに記録する（ステップＳ２５）。ここで、付与される取引番号は、ＲＡＭ２２に記憶されている取引データ情報ファイルの最新のエントリの取引番号に「１」を加えた値とする。例えば、取引データ情報ファイルに図５の内容で既にデータが記録されている場合、最新の取引番号は「０００００２」なので次に記憶される取引の取引番号は「０００００３」となる。これにより、各取引が区別される。
【００２８】
次いで、商品登録装置１はキー操作部１４の「現計キー」が押下されたか否かを判定する（ステップＳ２６）。「現計キー」が押下されないときは、次の買上げ商品の商品登録をするため処理はステップＳ２４へ戻る。そして、次の買上げ商品について、商品登録と取引データ情報ファイルへの取引データの記録を繰り返す。この結果、取引データ情報ファイルには、同一の取引番号を有する複数の買上げ商品の取引データが追記されていくことになる。例えば、図５のデータが記録済みの取引データ情報ファイルにおいて、取引番号「０００００２」の取引では、「焼肉弁当」と「唐揚弁当」が買い上げられたことを示している。
【００２９】
「現計キー」が押下されると、上述の動作例と同様に、商品登録装置１は精算処理を実行する（ステップＳ２７）。そして精算処理の後、商品登録装置１は、ステップＳ２５で取引データが記録され更新されたＲＡＭ２２内の取引データ情報ファイルから、当該取引の取引番号の有する取引データのうち添加物番号が記憶されている取引データを読み出す（ステップＳ２８）。さらに、読み出した取引データの添加物名と一致するアレルギー物質名をＲＡＭ２２のアレルギー物質情報ファイルから読み出す（ステップＳ２９）。なお、ステップＳ２８とステップＳ２９では、アレルギー物質を含む買上げ商品が複数ある場合には、それら複数の商品の分だけデータが複数読み出される。そして、商品登録装置１は、読み出したアレルギー物質情報をラベル印字部２４により図９（Ｂ）のフォーマットでラベルに印字して、ラベル発行口１６から印字済みのラベルを発行する（ステップＳ３０）。
【００３０】
例えば、図５の取引データ情報ファイルにおいて取引番号「０００００２」の取引の場合、添加物番号「０１」が記憶されている「焼肉弁当」の取引データと、添加物番号「０２」が記憶されている「唐揚弁当」の取引データがステップＳ２８で取引データ情報ファイルから読み出される。そして、アレルギー物質情報ファイルから、「焼肉弁当」についてはアレルギー物質名「牛肉」、「唐揚弁当」についてはアレルギー物質名「鶏肉」、「卵」がステップＳ２９でそれぞれ読み出される。また、図９（Ｂ）の印字フォーマットでは、アレルギー物質情報を表示するエリアに、該当する複数の商品、すなわちこの例では「焼肉弁当」と「唐揚弁当」の２つの商品のアレルギー物質情報が連続して印字される。
【００３１】
ラベル発行後、上述の動作例と同様に、商品登録装置１は各種取引情報を印字したレシートをレシート発行口１５から発行する。これにより、一客分の取引の処理が完了する。
なお、本動作例において、通常モードの動作（ステップＳ２１、Ｓ２３）とその他の処理の動作（ステップＳ２２）は上述の動作例と同じであるので説明を省略する。
【００３２】
また、上記のステップＳ３０において、図９（Ｂ）のような複数の商品のアレルギー物質情報を１枚にまとめて印字したラベルではなく、図９（Ａ）のような１枚のラベルに１つの商品のアレルギー物質情報を印字したラベルを商品毎に発行してもよい。
【００３３】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、店舗内の情報システムを管理するストアコントローラを商品登録装置１に接続し、このストアコントローラにより商品ファイル、添加物ファイル、アレルギー物質情報ファイル、取引データ情報ファイル、実績ファイルなどを記憶して管理し、必要に応じてこれらのファイルをデータ通信により商品登録装置１が利用できるようにしてもよい。また、複数台の商品登録装置を使用する構成においてこれらを互いに接続し、そのうち１台の商品登録装置に上記ストアコントローラの機能を備えさせた親子システムとすることもできる。また、本発明の商品登録装置を秤機能を備えた計量機器に適用することもできる。
【００３４】
また、アレルギー物質情報を印字する各商品名を画面に表示させ、液晶タッチパネル１２上の所定のファンクションキーやキー操作部１４の所定キーを操作することによってラベルを任意に発行するようにしてもよい。
また、アレルギー物質以外に、添加物、調理方法、保存方法などの商品情報を印字してラベルを発行するようにしてもよい。
【００３５】
また、商品ファイルとアレルギー物質情報ファイル中の添加物番号の代わりに添加物名そのものを記憶させてもよい。
また、取引データ情報ファイル中の取引番号は、一客分毎に取引データを区別することができれば数字以外の文字等を使用してもよい。
【００３６】
また、図９のラベルの印字フォーマットは、印字内容や印字位置などを変更できるようになっていてもよい。
また、図９（Ｂ）の印字フォーマットが適用される場合に、１枚のラベルにアレルギー物質情報が収まりきらないときは、自動的に２枚目、３枚目のように複数枚に分けてラベルが発行されるようにしてもよい。
また、アレルギー物質名を印字したラベルを発行する際、一つの商品に何種類かのアレルギー物質が含まれる場合には、アレルギー物質別にラベルを発行するようにしてもよい（例えば、商品番号「０００１」に対してアレルギー物質が「牛肉」と「鶏肉」と「卵」であったとすると、ラベルは３枚発行されることになる）。
【図面の簡単な説明】
【００３７】
【図１】本発明の一実施形態による商品登録装置の外観図である。
【図２】商品登録装置の電気的な構成を表すブロック図である。
【図３】商品ファイルの一例である。
【図４】添加物ファイルの一例である。
【図５】アレルギー物質情報ファイルの一例である。
【図６】取引データ情報ファイルの一例である。
【図７】登録モード画面の一例である。
【図８】商品登録装置の一動作例を示すフローチャートである。
【図９】アレルギー物質情報が印字されるラベルの印字例である。
【図１０】商品登録装置の別の動作例を示すフローチャートである。
【図１１】発行されるレシートの一例である。
【符号の説明】
【００３８】
１…商品登録装置  １１…店員用表示器  １２…液晶タッチパネル  １３…客用表示器  １４…キー操作部  １５…レシート発行口  １６…ラベル発行口  １７…磁気カードリーダ  １８…スキャナ  １９…ドロワ  ２０…ＣＰＵ  ２１…ＲＯＭ  ２２…ＲＡＭ  ２３レシート印字部  ２４…ラベル印字部
【図１】
2008041048.tif 000003
【図２】
2008041048.tif 000004
【図３】
2008041048.tif 000005
【図４】
2008041048.tif 000006
【図５】
2008041048.tif 000007
【図６】
2008041048.tif 000008
【図７】
2008041048.tif 000009
【図８】
2008041048.tif 000010
【図９】
2008041048.tif 000011
【図１０】
2008041048.tif 000012
【図１１】
2008041048.tif 000013